(57)【要約】【課題】温風ダクトの吹出口及び局部洗浄ノズルが汚れることを防止し、かつ悪臭の発生も防止することができる局部洗浄装置を提供する。【解決手段】便器本体１の後部上面に設けられ、前面中央部に開口１１を有した本体ケース１１と、本体ケース１０に内蔵され、開口１１に吹出口２１が臨む温風ダクト２０と、本体ケース１０に内蔵され、温風ダクト２０を介して局部に温風を供給可能である温風発生機２２と、温風ダクト２０の隣に位置して本体ケース１０に内蔵され、開口１１を通って前方に突出可能である肛門洗浄用ノズル３１等と、吹出口２１の上部を中心に回動自在に設けられ、吹出口２１を開閉可能な第１シャッター４０と、開口１１の上部を中心に回動自在に設けられ、第１シャッター４０の前方に位置して開口１１を開閉可能な第２シャッター５０とを備えている。【選択図】図１
2008121305.tif 000002
【特許請求の範囲】
【請求項１】
便器本体の後部上面に設けられ、前面中央部に開口を有した本体ケースと、
該本体ケースに内蔵され、該開口に吹出口が臨む温風ダクトと、
該本体ケースに内蔵され、該温風ダクトを介して局部に温風を供給可能である温風発生機と、
該温風ダクトの隣に位置して該本体ケースに内蔵され、該開口を通って前方に突出可能である局部洗浄ノズルと、
該吹出口の上部を中心に回動自在に設けられ、該吹出口を開閉可能な第１シャッターと、
該開口の上部を中心に回動自在に設けられ、該第１シャッターの前方に位置して該開口を開閉可能な第２シャッターとを備えていることを特徴とする局部洗浄装置。
【請求項２】
前記第２シャッターは、前記開口から取り外し可能である請求項１記載の局部洗浄装置。
【請求項３】
前記第２シャッターは、前記温風発生機により前記局部に温風を送風する際、前記局部洗浄ノズルが前方に突出することにより押し上げられて、前方上方に回動した開放位置となる請求項１又は２記載の局部洗浄装置。
【発明の詳細な説明】
【技術分野】
【０００１】
本発明は局部洗浄装置に関する。
【背景技術】
【０００２】
特許文献１の図１に従来の局部洗浄装置が開示されている。この局部洗浄装置は、便器本体の後部上面に設けられ、前面中央部に開口を有した本体ケースを備えている。本体ケースは、開口に吹出口が望む温風ダクトと、温風ダクトを介して局部に温風を供給可能な温風発生器とを内蔵している。また、本体ケースは、温風ダクトの隣に位置し、開口を通って前方に突出可能な局部洗浄ノズルを内蔵している。開口には、上部を中心に回動自在に設けられて開口を開閉可能なシャッターが設けられている。
【０００３】
このような構成である従来の局部洗浄装置において、男子が便器本体の前方に立って小便をする場合、又は男子若しくは女子が便座上に座って大便をする場合、本体ケースの開口はシャッターで閉鎖されている。このため、飛散した尿又は汚物は、そのシャッターに遮断され、温風ダクトの吹出口及び局部洗浄ノズルまで届かない。このため、温風ダクトの吹出口及び局部洗浄ノズルが尿又は汚物の付着及び固着により汚れることを防止している。
【０００４】
【特許文献１】特開平６−１９３１１５号公報
【発明の開示】
【発明が解決しようとする課題】
【０００５】
しかし、上記従来の局部洗浄装置は、局部洗浄ノズルが前方へ突出し、洗浄水を噴出して局部を洗浄する場合、シャッターが前方上方に回動した位置に移動するため、温風ダクトの吹出口が開放状態となる。一方、局部洗浄ノズルから噴出した洗浄水は、局部を洗浄した後、汚物と共に飛散する汚水となっている。このため、飛散する汚水は、温風ダクトの吹出口が開放状態であると、吹出口の周囲に付着するとともに、吹出口から温風ダクトの内部に入り込んでしまう。この結果、この局部洗浄装置では、吹出口の周辺が汚れるおそれがあるとともに、温風ダクトの内部の汚れは拭き取り清掃がしづらく、汚れの残留によって悪臭も生じるおそれがあった。
【０００６】
本発明は、上記従来の実情に鑑みてなされたものであって、温風ダクトの吹出口及び局部洗浄ノズルが汚れることを防止し、かつ悪臭の発生も防止することができる局部洗浄装置を提供することを解決すべき課題としている。
【課題を解決するための手段】
【０００７】
本発明の局部洗浄装置は、便器本体の後部上面に設けられ、前面中央部に開口を有した本体ケースと、
該本体ケースに内蔵され、該開口に吹出口が臨む温風ダクトと、
該本体ケースに内蔵され、該温風ダクトを介して局部に温風を供給可能である温風発生機と、
該温風ダクトの隣に位置して該本体ケースに内蔵され、該開口を通って前方に突出可能である局部洗浄ノズルと、
該吹出口の上部を中心に回動自在に設けられ、該吹出口を開閉可能な第１シャッターと、
該開口の上部を中心に回動自在に設けられ、該第１シャッターの前方に位置して該開口を開閉可能な第２シャッターとを備えていることを特徴とする。
【０００８】
このような構成である本発明の局部洗浄装置は、温風発生器により温風ダクトの吹出口から局部に向けて温風を送風する「温風乾燥」の場合のみ、第１シャッターが前方上方に回動して温風ダクトの吹出口を開放する。つまり、局部洗浄ノズルが前方へ突出し、洗浄水を噴出して局部を洗浄する「局部洗浄」の場合、第２シャッターのみが前方上方に回動し、温風ダクトの吹出口は第１シャッターにより閉鎖している。このため、飛散する局部洗浄後の汚水により温風ダクトの吹出口周辺が汚れることを防止し、かつ汚水が吹出口から温風ダクトの内部に入り込むことも防止している。
【０００９】
また、本発明の局部洗浄装置は、「温風乾燥」及び「局部洗浄」の場合を除き、本体ケースの前面中央部の開口を第２シャッターにより閉鎖する。その際、第１シャッターは第２シャッターに覆われている。このため、男子が便器本体の前方に立って小便をする場合、又は男子若しくは女子が便座上に座って大便をする場合、飛散する尿又は汚物は第２シャッターに遮断され、尿又は汚物の飛散により局部洗浄ノズル及び第１シャッターが汚れることを防止している。特に、温風ダクトの吹出口の前面には第１シャッター及び第２シャッターが位置しているため、飛散する尿又は汚物は第１シャッター及び第２シャッターにより遮断され、温風ダクトの吹出口の周辺が汚れることをより効果的に防止している。一方、尿又は汚物の飛散による汚れは、第２シャッターを掃除するのみで除去することができる。
【００１０】
したがって、本発明の局部洗浄装置は、温風ダクトの吹出口及び局部洗浄ノズルが汚れることを防止し、かつ悪臭の発生も防止することができる。
【００１１】
第２シャッターは、開口から取り外し可能であることが好ましい。この場合、第２シャッターを取り外して第２シャッターに付着した尿又は汚物等を洗い落とすことができる。
【００１２】
第２シャッターは、温風発生機により局部に温風を送風する際、局部洗浄ノズルが前方に突出することにより押し上げられて、前方上方に回動した開放位置となることが好ましい。
【００１３】
この場合、温風ダクトの吹出口から送風される温風は、第２シャッターに干渉しないため、適切な箇所に温風を効率的に送風することができる。また、局部洗浄ノズルが第２シャッターを押し上げて開放位置にするため、第２シャッターを開放位置にするための機構を別に設ける必要がない。このため、第２シャッター等の構造を簡易にすることができる。
【発明を実施するための最良の形態】
【００１４】
以下、本発明を具体化した実施例を図面を参照しつつ説明する。
【００１５】
図１〜図５に示すように、実施例の局部洗浄装置は、便器本体１の後部上面に前面中央部に開口１１を有した本体ケース１０を有している。本体ケース１０は、吹出口２１が開口１１に望む温風ダクト２０と、温風ダクト２０に接続され、局部に温風を供給可能である温風発生器２２とを内蔵している。また、本体ケース１０は、温風ダクト２０の隣に肛門洗浄用ノズル３１及びビデ用ノズル３２を有するノズルユニット３０を内蔵している。肛門洗浄用ノズル３１及びビデ用ノズル３２は、本体ケース１０の開口１１を通って前方に突出可能である。
【００１６】
温風ダクト２０の吹出口２１は、吹出口２１の上部を中心に回動自在であり、吹出口２１を開閉可能な第１シャッター４０を備えている。本体ケース１０の開口１１は、開口１１の上部を中心に回動自在であり、開口１１を開閉可能な第２シャッター５０を備えている。第２シャッター５０は左右側面の上部に回転軸５１を有している。第２シャッター５０は樹脂製であり可撓性を有している。このため、第２シャッター５０を左右に湾曲させて開口１１の左右内面の上部に設けられた軸受け穴に回転軸５１を挿通することにより、開口１１に第２シャッター５０を取り付けることができる。また、第２シャッター５０を左右に湾曲させるようにして回転軸５１を軸受け穴から抜き出すことにより、第２シャッター５０を取り外すことができる。
【００１７】
図１に示すように、便座２を垂直位置に回動し、男子が便器本体１の前方に立って小便をする場合、本体ケース１０の開口１１が第２シャッター５０により閉鎖している。また、図示しないが、男子又は女子が水平位置に回動した便座２上に座って大便をする場合も本体ケース１０の開口１１が第２シャッター５０により閉鎖している。この際、第１シャッター４０は第２シャッターに覆われている。
【００１８】
図２及び図３に示すように、肛門洗浄用ノズル３１が前方へ突出し、洗浄水を噴出して肛門を洗浄する「肛門洗浄」の場合、第２シャッター５０は、肛門洗浄用ノズル３１により押し上げられて前方上方に回動した開放位置になる。図２に示す第２シャッター５０は、中央部分を破断して示したものである。肛門洗浄用ノズル３１は、肛門洗浄位置まで突出して洗浄水を上方へ向けて噴出する。この際、温風ダクト２０の吹出口２１が第１シャッター４０により閉鎖している。図示しないが、ビデ用ノズル３２が突出し、洗浄水を噴出する「ビデ洗浄」の場合も同様に、第２シャッター５０は、ビデ用ノズル３２により押し上げられて前方上方に回動した開放位置になり、温風ダクト２０の吹出口２１が第１シャッター４０により閉鎖している。
【００１９】
図４及び図５に示すように、温風発生器２２により温風ダクト２０の吹出口２１から局部に向けて温風を送風する「温風乾燥」の場合、第２シャッター５０は、肛門洗浄用ノズル３１が前方へ突出することにより押し上げられて前方上方に回動した開放位置になる。図４に示す第２シャッター５０は、中央部分を破断して示したものである。なお、肛門洗浄用ノズル３１は肛門洗浄位置までは突出しない。第１シャッター４０は、吹出口２１から噴出する温風の風力により押し上げられて前方上方に回動した開放位置になる。
【００２０】
このような構成である実施例の局部洗浄装置において、「肛門洗浄」及び「ビデ洗浄」の場合、第２シャッター５０のみが前方上方に回動した開放位置になり、温風ダクト２０の吹出口２１は第１シャッター４０により閉鎖している。このため、飛散する局部洗浄後の汚水により吹出口２１周辺が汚れることを防止し、かつ汚水が吹出口２１から温風ダクト２０の内部に入り込むことも防止している。
【００２１】
また、男子が便器本体１の前方に立って小便をする場合、又は男子若しくは女子が便座２上に座って大便をする場合、飛散する尿又は汚物は第２シャッター５０に遮断され、尿又は汚物の飛散により肛門洗浄用ノズル３１、ビデ用ノズル３２及び第１シャッター４０が汚れることを防止している。特に、温風ダクト２０の吹出口２１の前面には第１シャッター４０及び第２シャッター５０が位置しているため、飛散する尿又は汚物は第１シャッター４０及び第２シャッター５０により遮断され、吹出口２１の周辺が汚れることをより効果的に防止している。一方、尿又は汚物の飛散による汚れは、第２シャッター５０を掃除するのみで除去することができる。
【００２２】
したがって、実施例の局部洗浄装置は、温風ダクト２０の吹出口２１、肛門洗浄用ノズル３１及びビデ用ノズル３２が汚れることを防止し、かつ悪臭の発生も防止することができる。
【００２３】
また、第２シャッター５０を取り外して第２シャッター５０に付着した尿又は汚物等を洗い落とすことができる。
【００２４】
また、温風ダクト２０の吹出口２１から送風される温風は、第２シャッター５０に干渉しないため、適切な箇所に温風を送風することができる。また、肛門用洗浄ノズル３１が第２シャッター５０を押し上げて開放位置にするため、第２シャッター５０を開放位置にするための機構を別に設けておらず、第２シャッター５０等の構造を簡易にしている。
【産業上の利用可能性】
【００２５】
本発明は局部洗浄装置に利用可能である。
【図面の簡単な説明】
【００２６】
【図１】実施例の局部洗浄装置を便器本体に取り付けた全体斜視図である。
【図２】実施例の局部洗浄装置の「肛門洗浄」時の要部を示す斜視図である。
【図３】実施例の局部洗浄装置の「肛門洗浄」時の要部を示す正面図である。
【図４】実施例の局部洗浄装置の「温風乾燥」時の要部を示す斜視図である。
【図５】実施例の局部洗浄装置の「温風乾燥」時の要部を示す正面図である。
【符号の説明】
【００２７】
１…便器本体
１０…本体ケース
１１…開口
２０…温風ダクト
２１…吹出口
２２…温風発生器
３０…ノズルユニット
３１…肛門洗浄用ノズル
３２…ビデ用ノズル
４０…第１シャッター
５０…第２シャッター
【図１】
2008121305.tif 000003
【図２】
2008121305.tif 000004
【図３】
2008121305.tif 000005
【図４】
2008121305.tif 000006
【図５】
2008121305.tif 000007